(57)【特許請求の範囲】
【請求項１】
無線通信方法であって、
ベースステーションによって、高次層シグナリングを介してスロット構造のグループを構成するステップ、
前記ベースステーションによって、所定期間内の各スロットの構造を決定するステップ（１０１）と、
前記ベースステーションによって、前記決定した構造を物理層シグナリング経由でユーザ機器（ＵＥ）に通知するステップ（１０２）であって、前記物理層シグナリングは、後続ｋ個のスロットのアップリンクまたはダウンリンク構成情報を通知するダウンリンク制御チャネルの共通サーチスペースにおいて搬送されるダウンリンク制御情報を含み、ｋは正整数である、ステップと、
前記構造に基づいてデータの伝送を行うステップ（１０３）と、を含み、
前記ＵＥに通知するステップは、前記物理層シグナリングを介して、前記スロット構造のグループ内の対応するスロット構造に基づき、各スロットのアップリンクまたはダウンリンク構成を動的に通知するステップを有する、
方法。
【請求項２】
無線通信方法であって、
ユーザ機器（ＵＥ）によって、基地局からの高次層シグナリングを介して、スロット構造のグループについての構成情報を受信するステップ、
前記ＵＥによって、物理層シグナリングを介して、前記基地局からプリセット時間長内の各スロットの構造を受信するステップ（２０１）であって、前記物理層シグナリングは、後続ｋ個のスロットのアップリンクまたはダウンリンク構成情報を通知するダウンリンク制御チャネルの共通サーチスペースにおいて搬送されるダウンリンク制御情報を含み、ｋは正整数である、ステップと、
前記構造に従ってデータ伝送を行うステップ（２０２）と、を含み、
前記各スロットの構造を受信するステップは、前記ＵＥによって、前記物理層シグナリングを介して、前記スロット構造のグループ内の対応するスロット構造に基づき、各スロットの前記アップリンクまたはダウンリンク構成を動的に受信するステップを有する、
方法。
【請求項３】
前記方法はさらに、
前記ＵＥによって、規定時間内において前記基地局からのスケジューリング情報をモニタリングするステップ、
前記ＵＥによって、固有ＩＤを用いて前記スケジューリング情報をスクランブルするステップであって、前記スケジューリング情報はデータパケットを送信するための時間ドメイン位置を通知する、ステップ、
を有する、
請求項２記載の方法。
【請求項４】
無線通信デバイスであって、
プロセッサを備え、
前記プロセッサは、
高次層シグナリングを介してスロット構造のグループを構成するステップ、
プリセット時間長内の各スロットの構造を決定するステップ、
物理層シグナリングを介して、前記決定した構造をユーザ機器（ＵＥ）に通知するステップであって、前記物理層シグナリングは、後続ｋ個のスロットのアップリンクまたはダウンリンク構成情報を通知するダウンリンク制御チャネルの共通サーチスペースにおいて搬送されるダウンリンク制御情報を含み、ｋは正整数である、ステップ、
前記決定した構造に基づいてデータの伝送を行うステップ、
を実施するように構成されており、
前記プロセッサは、前記ＵＥに通知するステップにおいて、前記物理層シグナリングを介して、前記スロット構造のグループ内の対応するスロット構造に基づき、各スロットの前記アップリンクまたはダウンリンク構成を動的に通知するステップを実施するように構成されている、
無線通信デバイス。
【請求項５】
無線通信デバイスであって、
プロセッサを備え、
前記プロセッサは、
基地局からの高次層シグナリングを介して、スロット構造のグループについての構成情報を受信するステップ、
物理層シグナリングを介して、前記基地局からプリセット時間長内の各スロットの構造を受信するステップであって、前記物理層シグナリングは、後続ｋ個のスロットのアップリンクまたはダウンリンク構成情報を通知するダウンリンク制御チャネルの共通サーチスペースにおいて搬送されるダウンリンク制御情報を含み、ｋは正整数である、ステップ、
前記構造に従ってデータ伝送を行うステップ、
を実施するように構成されており、
前記プロセッサは、前記各スロットの構造を受信するステップにおいて、前記物理層シグナリングを介して、前記スロット構造のグループ内の対応するスロット構造に基づき、各スロットの前記アップリンクまたはダウンリンク構成を動的に受信するステップを実施するように構成されている、
無線通信デバイス。
【請求項６】
前記プロセッサは、
規定時間内において前記基地局からのスケジューリング情報をモニタリングするステップ、
固有ＩＤを用いて前記スケジューリング情報をスクランブルするステップであって、前記スケジューリング情報はデータパケットを送信するための時間ドメイン位置を通知する、ステップ、
を実施するように構成されている、
請求項５記載の無線通信デバイス。
【発明の詳細な説明】
【技術分野】
【０００１】
本開示は、通信分野における伝送管理技術に関し、特に、データ伝送方法、基地局、ユーザ機器およびシステムに関する。
【背景技術】
【０００２】
５Ｇは、使用シーンの多様化によるチャレンジを解決するためのものである。例えば、低遅延のアプリは、遅延に対して高い指標が要求され、ユーザにミリ秒レベルのエンド・ツー・エンドの遅延を提供する必要がある。それと同時に、５Ｇ通信において、前方互換性のために、トラフィック自己適応をサポートすることは必然的な傾向であり、トラフィック自己適応とは、上り・下り配置を半静的配置または動的配置することができ、トラフィック負荷のニーズを満たし、またはトラフィック負荷の変化に合わせることを意味する。そのため、柔軟な複信または動的時分割複信ＴＤＤをどのようにサポートまたは実現することは、優先解決すべき問題であり、該問題は現在、第三世代パートナーシッププロジェクト３ＧＰＰ規格の議論でまだ展開されていない。
【発明の概要】
【発明が解決しようとする課題】
【０００３】
以下、本開示を詳細に説明する主題の概要である。本概要は、特許請求の範囲を制限するためのものではない。
【０００４】
本開示は、データ伝送方法、基地局、ユーザ機器およびシステムを提供する。
【課題を解決するための手段】
【０００５】
本開示の態様は以下のように実現される。
【０００６】
本開示の実施例は、
所定期間内の各時間単位のフレーム構造を調整して決定することと、
前記調整後のフレーム構造をユーザ機器ＵＥに通知することと、
調整後のフレーム構造に基づいてデータの伝送を行うことと、
を含むデータ伝送方法を提供する。
【０００７】
本開示の実施例は、
基地局から送信された調整後のフレーム構造を受信することと、
調整後のフレーム構造に従ってデータ伝送を行うことと、
を含むデータ伝送方法を提供する。
【０００８】
本開示の実施例は、
所定期間内の各時間単位のフレーム構造を調整して決定するように構成される制御ユニットと、
前記調整後のフレーム構造をユーザ機器ＵＥに通知し、調整後のフレーム構造に基づいてデータの伝送を行うように構成される通信ユニットと、
を備える基地局を提供する。
【０００９】
本開示の実施例は、基地局から送信された調整後のフレーム構造を受信するように構成される受信ユニットと、
調整後のフレーム構造に従ってデータ伝送を行うように構成される送信ユニットと、
を備えるＵＥを提供する。
【００１０】
本開示の実施例は、
所定期間内の各時間単位のフレーム構造を調整して決定し、前記調整後のフレーム構造をユーザ機器ＵＥに通知し、調整後のフレーム構造に基づいてデータの伝送を行うように構成される基地局と、
基地局から送信される調整後のフレーム構造を受信し、調整後のフレーム構造に従ってデータ伝送を行うように構成されるＵＥと、
を備えるデータ伝送システムを提供する。
【００１１】
本開示の実施例は、
記憶媒体およびプロセッサを備え、
該記憶媒体は、１セットの命令を含み、
前記命令が実行されると、少なくとも１つのプロセッサは、
所定期間内の各時間単位のフレーム構造を調整して決定することと、
前記調整後のフレーム構造をユーザ機器ＵＥに通知することと、
調整後のフレーム構造に基づいてデータの伝送を行うことと、
を含む動作を実行する基地局を提供する。
【００１２】
本開示の実施例は、
記憶媒体およびプロセッサを備え、
該記憶媒体は、１セットの命令を含み、
前記命令が実行されると、少なくとも１つのプロセッサは、
基地局から送信された調整後のフレーム構造を受信することと、
調整後のフレーム構造に従ってデータ伝送を行うことと、
を含む動作を実行するＵＥを提供する。
【００１３】
本開示の実施例は、プロセッサによって実行されると、上記のいずれかの方法を実現するコンピュータ実行可能命令が記憶されるコンピュータ可読記憶媒体を更に提供する。
【発明の効果】
【００１４】
本開示の実施例は、データ伝送方法、基地局、ユーザ機器およびシステムを提供する。基地局側は、所定期間内の時間単位のフレーム構造を柔軟に調整するとともに、調整後のフレーム構造をＵＥに送信することができ、これによって、調整後のフレーム構造に基づいて基地局とＵＥとの間のデータ伝送を行うことができる。そのため、トラフィックの需要に応じて動的な上り・下りデータの送信を実現する問題を解決する。
【００１５】
図面および詳細な説明を読んで理解した上、他の態様が理解できる。
【図面の簡単な説明】
【００１６】
【図１−１】本開示の実施例のデータ伝送方法のフローチャート模式図１である。
【図１−２】本開示の実施例のデータ伝送方法のフローチャート模式図２である。
【図２−１】本開示の実施例に係るリソース割当の模式図１である。
【図２−２】本開示の実施例に係るリソース割当の模式図２である。
【図３】本開示の実施例に係るリソース割当の模式図３である。
【図４】本開示の実施例に係るリソース割当の模式図４である。
【図５】本開示の実施例のデータ伝送方法のフローチャート模式図３である。
【図６】本開示の実施例のデータ伝送方法のフローチャート模式図４である。
【図７−１】本開示の実施例に係る基地局の構成の構造模式図である。
【図７−２】本開示の実施例に係るユーザ機器の構成の構造模式図である。
【図７−３】本開示の実施例に係るシステムの構成の構造模式図である。
【発明を実施するための形態】
【００１７】
上り・下りを動的に変更することによるスケジューリング、およびハイブリッド自動再送要求ＨＡＲＱプロセスの関連問題も考えられる。例えば、基地局がスロット１において１つの下りリンク制御情報ＤＣＩを送信し、スロット３およびスロット４を上りデータ伝送としてスケジューリングするが、スロット２において、１つの下りの高信頼性かつ超低遅延の通信ＵＲＬＬＣトラフィックのデータパケットのような優先度の高い下りデータの送信が急に要求される場合、または干渉が比較的強いと測定した場合、トラフィックの需要を満たすために、この時、基地局がどのように処理すればよいのかという問題がある。あるいは、例えば、基地局が連続した複数のスロットにおいて下りデータを送信するまたはディスカバリ参照信号ＤＲＳを送信している時に、上りのスケジューリングから基地局へ、１つの高優先度のトラフィックデータパケットを送信しようとするＵＥに即時に１つの上りリソースを割り当てる要求がある場合、基地局がどのようにスケジューリングするかの問題、どのようにＵＥに通知するかの問題、および対応するスケジューリングデータのＨＡＲＱ処理問題は、いずれも考慮しなければいけない。そのため、異なるトラフィック需要に対して、柔軟な複信および関連するシグナリン設計をどのように実現するか、スケジューリングおよび後続のＨＡＲＱへの影響、および対応する解決方法は、いずれも考慮しなければいけない。
【００１８】
以下、図面および例を参照しながら、本開示について詳細に説明する。
【００１９】
本開示は、図１−１に示すように、以下のステップを含むデータ伝送方法を提供する。
【００２０】
ステップ１０１において、所定期間内の各時間単位のフレーム構造を調整して決定する。
【００２１】
ステップ１０２において、前記調整後のフレーム構造をユーザ機器ＵＥに通知する。
【００２２】
ステップ１０３において、調整後のフレーム構造に基づいてデータの伝送を行う。
【００２３】
本開示が解決しようとする課題の１つは、柔軟な複信または動的ＴＤＤをどのように実現し、上り・下り配置をどのように決定し、どのように指示することである。
【００２４】
まず、前記上り・下り配置は、
データトラフィックの優先度と、
チャネルまたは信号またはリンクの優先度と、
キャリアセンスの結果と、
隣接セル間協調と、
ＵＥ能力と、
のうちの少なくとも１つに応じて調整して決定される。
【００２５】
配置された前記時間単位は、１つのサブフレーム、１つのスロット、１つのミニスロットｍｉｎｉ−ｓｌｏｔ、およびｍ個の直交周波数分割多重ＯＦＤＭシンボルのうちの１つを含む。ここで、ｍが１以上の整数である。
【００２６】
その後、前記調整後のフレーム構造をＵＥに通知し、前記通知は、
物理レイヤシグナリンによって調整後のフレーム構造を指示することと、
上位レイヤシグナリンによって調整後のフレーム構造を配置することと、
マルチキャストシグナリンまたはシステムメッセージによって調整後のフレーム構造を通知することと、のうちの少なくとも１つを含む。
【００２７】
例えば、基地局は、システム情報ブロックＳＩＢ、物理報知チャネルＰＢＣＨ、無線リソース制御ＲＲＣ、およびＤＣＩのような動的物理レイヤシグナリンの少なくとも１つの情報により、ＵＥに上り・下り配置を通知し、または空きリソースを更に含む。前記空きリソースは、少なくともデータ情報を伝送するためのリソースとして配置されないことを表す。
【００２８】
前記フレーム構造を調整することは、
上り肯定応答ＡＣＫ／否定応答ＮＡＣＫ、スケジューリング要求ＳＲ、サウンディング参照信号ＳＲＳ、プリアンブル初期アクセス、上り再送データパケットのうちの少なくとも１つを含む上りプリセット情報の上り伝送に用いられるｓｌｏｔまたはｍｉｎｉ−ｓｌｏｔまたはＯＦＤＭシンボルを第１個数配置することと、
下り制御チャネル、同期チャネル、下り報知チャネル、またはＤＲＳ信号のうちの少なくとも１つを含む下りプリセット情報の下り伝送に用いられるｓｌｏｔまたはｍｉｎｉ−ｓｌｏｔまたはＯＦＤＭシンボルを第２個数配置することと、
予約リソースとして、または少なくともデータ情報を伝送するためのリソースとして配置されないことを表す空きリソースとして、ｓｌｏｔまたはｍｉｎｉ−ｓｌｏｔまたはＯＦＤＭシンボルを第３個数配置することと、を含む。
【００２９】
つまり、半静的＋動的シグナリンで指示する方式が用いられる。以下の方式のうちの少なくとも１つを採用する。
【００３０】
方式１：隣接する２つの基地局が交渉した後に、ある時間領域位置を半静的配置して下りまたは上りの重要情報の送信に使用する。例えば、あるｓｌｏｔまたはＯＦＤＭシンボルを配置して上りＡＣＫ／ＮＡＣＫ、ＳＲ、ＳＲＳまたはプリアンブル初期アクセス若しくは再送データパケットの送信に使用する。あるｓｌｏｔまたはＯＦＤＭシンボルを配置して下り制御チャネル、同期チャネル、または類似するＤＲＳ信号の送信に使用する。その後、残りの時間領域リソース基地局は、上りであるか、下りであるか、または空きリソースであるかを動的に指示することができる。
【００３１】
方式２：割り当てセット、またはパターン、または割り当てセットおよびパターンを配置し、動的シグナリンによって割り当てセット、またはパターン、または割り当てセットおよびパターンのインデックスを指示し、一部の割り当てセット、またはパターン、または割り当てセットおよびパターンを半静的配置し、インデックスを動的に指示する。
【００３２】
方式３：１つのサブフレームグループ／スロットグループのサイズを配置し、各サブフレームグループ／スロットグループ内の各サブフレーム／スロットの上り・下り配置を動的に指示する。１つのサブフレーム／スロットグループのサイズを半静的配置し、各サブフレーム／スロットグループ内の各サブフレーム／スロットの上り・下り配置を動的に指示する。
【００３３】
前記上りグラント情報は、上りデータ伝送をスケジューリングするための時間領域位置情報を含み、前記下りグラント情報は、下りデータ伝送をスケジューリングするための時間領域位置情報を含む。
【００３４】
上記基地局が動的に指示される方式は、
上りデータの上りグラント情報をスケジューリングすることにより、上りの時間領域位置を決定し、下りデータの下りグラント情報をスケジューリングすることにより、下りの時間領域位置を決定することと、
下り制御チャネルの共通サーチスペースによって１つの下り制御情報を担持し、後続のｋ個のｓｌｏｔ、またはｍ個のミニスロットの上り・下り配置情報を指示し、あるいは空きリソースであることを指示することと、を更に含む。
【００３５】
方式１：上りデータの上りグラント情報をスケジューリングすることにより、上りデータの時間領域位置を暗示的に決定し、下りデータの下りグラント情報をスケジューリングすることにより、下りデータの時間領域位置を暗示的に決定する。
【００３６】
方式２：下り制御チャネルの共通サーチスペースによって１つの下り制御情報を担持し、後続のｋ個のｓｌｏｔ、またはｍｉｎｉ−ｓｌｏｔの上りまたは下り属性を指示し、あるいはあるｓｌｏｔが空白であることを指示し、ｓｌｏｔ内の各ＯＦＤＭシンボルの属性を混合する。
【００３７】
該共通制御情報は、予め定義されたまたは配置された下り時間単位の制御領域において送信され、または各下り時間単位において送信される。
【００３８】
方式３：下り制御チャネルの固有サーチスペースによって１つの固有下り制御情報を担持し、後続のｔ個目のｓｌｏｔ、またはｓ個目のミニスロットの上り・下り配置属性の変更を指示し、あるいは空きリソースであることを指示し、ｔ、ｓが正の整数である。
【００３９】
特に、上り・下りのいずれにも含まれるｓｌｏｔを混合した構造に対し、レベル２の指示方式で各シンボルの上り・下りまたは空きリソースを決定する。
【００４０】
レベル１のＤＣＩが各ｍｉｎｉ−ｓｌｏｔの長さを指示し、レベル２のＤＣＩが各ｍｉｎｉ−ｓｌｏｔの上り・下りまたは空きリソースを指示する。
【００４１】
特に、キャリアアグリゲーションの場合について、前記上り・下り配置の動的調整方法は、全てのセルに適用され、且つ、セカンダリーセルＳｃｅｌｌの上り・下り配置指示情報は、プライマリーセルＰｃｅｌｌの下り制御チャネルによって送信され、または該セルの下り制御チャネルのみにおいて送信される。
【００４２】
デュアルリンクの場合では、セカンダリーセルＳｃｅｌｌの上り・下り配置指示情報は、プライマリーセカンダリーセルＰＳｃｅｌｌの下り制御チャネルによって送信されてもよい。
【００４３】
本開示における別の内容は、スケジューリングおよびＨＡＲＱへの影響の処理であり、
下りデータ伝送用のスロットｎまたはスロットｎ内のｍｉｎｉ−ｓｌｏｔを、上りデータ伝送用のスロットｎまたはスロットｎ内のｍｉｎｉ−ｓｌｏｔに調整することと、
上りデータ伝送用のスロットｍまたはスロットｍ内のｍｉｎｉ−ｓｌｏｔを、下りデータ伝送用のスロットｍまたはスロットｍ内のｍｉｎｉ−ｓｌｏｔに調整することと、
下りデータ伝送用のスロットｎまたはスロットｎ内のｍｉｎｉ−ｓｌｏｔを、空きリソースに調整することと、
上りデータ伝送用のスロットｍまたはスロットｍ内のｍｉｎｉ−ｓｌｏｔを、空きリソースに調整することと、
を含んでもよい。
【００４４】
例えば、本来、ある下りデータパケットをスケジューリングしてスロットｎまたはｎ内のあるｍｉｎｉ−ｓｌｏｔで伝送したが、スロットｎまたはｎ内のあるｍｉｎｉ−ｓｌｏｔが一時的に上りに動的に調整されて高優先度のトラフィックを送信するため、または隣接セル間干渉協調のために、元のデータパケットの処理は、
本来スロットｎまたはスロットｎ内のｍｉｎｉ−ｓｌｏｔにおいて送信されるデータを廃棄するとともに、端末に該データパケットが破壊されたことを指示し、且つ、該回のスケジューリングを再送回数内に計算しない、または、本来スロットｍまたはスロットｍ内のｍｉｎｉ−ｓｌｏｔにおいて送信されるデータを廃棄するとともに、端末に該データパケットが破壊されたことを指示し、且つ、該回のスケジューリングを再送回数内に計算しないことと、
低減された電力または低減された変調符号化方式ＭＣＳで、本来スロットｎまたはスロットｎ内のｍｉｎｉ−ｓｌｏｔにおいて送信しようとするデータパケット、およびスロットｍまたはスロットｍ内のｍｉｎｉ−ｓｌｏｔにおいて送信しようとするデータパケットを送信することと、
本来スロットｎまたはスロットｎ内のｍｉｎｉ−ｓｌｏｔにおいて送信しようとするデータパケット、またはスロットｍまたはスロットｍ内のｍｉｎｉ−ｓｌｏｔにおいて送信しようとするデータパケットを、他のリソース箇所に再スケジューリングし、本来スロットｎまたはスロットｎ内のｍｉｎｉ−ｓｌｏｔにおいて送信しようとするデータパケット、およびスロットｍまたはスロットｍ内のｍｉｎｉ−ｓｌｏｔにおいて送信しようとするデータパケットを、他のリソース箇所に再スケジューリングして伝送することと、
本来スロットｎまたはスロットｎ内のｍｉｎｉ−ｓｌｏｔにおいて送信しようとするデータパケット、またはスロットｍまたはスロットｍ内のｍｉｎｉ−ｓｌｏｔにおいて送信しようとするデータパケットを、予約されたリソースで送信し、本来スロットｎまたはスロットｎ内のｍｉｎｉ−ｓｌｏｔで送信しようとするデータパケット、およびスロットｍまたはスロットｍ内のｍｉｎｉ−ｓｌｏｔにおいて送信しようとするデータパケットを、予約されたリソースで送信することと、の１つであってもよい。
【００４５】
上記予約されたリソースおよび他のリソースは、本質的に、いずれも時間領域リソース、または周波数領域リソース、または時間領域リソースおよび周波数領域リソースであってもよいが、他のリソースおよび予約されたリソースは、それぞれ異なるリソース位置を指してもよい。
【００４６】
つまり、方法１：本来該位置において送信されるデータを直接廃棄するとともに、端末に該データパケットが破壊されたことを指示し、再送統合による影響を回避する。ＡＣＫ／ＮＡＣＫもフィードバックされず、且つ再送回数内に計算されない。
【００４７】
方法２：低減された電力または低いＭＣＳでこのデータパケットを依然として送信する。
【００４８】
方法３：該データパケットを他の時間領域位置、または他の周波数領域位置、または他のキャリアに再スケジューリングする。
【００４９】
ＡＣＫ／ＮＡＣＫに対するフィードバック処理は以下を含む。
【００５０】
再指示されたデータ伝送位置が元のＡＣＫ／ＮＡＣＫフィードバック位置の後ろにある場合、該ＤＣＩ情報は、該データパケットに対応するＡＣＫ／ＮＡＣＫがフィードバックする新しいリソース位置情報も含み、且つ新しいデータパケット位置および対応するＡＣＫ／ＮＡＣＫの位置をジョイント符号化の方式で指示する。
【００５１】
方式４：基地局は、該データパケットを予約された一部の下りリソースで送信する。
【００５２】
本来ある上りデータパケットをスケジューリングしてスロットｍまたはｍ内のあるｍｉｎｉ−ｓｌｏｔで伝送したが、スロットｍまたはｍ内のあるｍｉｎｉ−ｓｌｏｔが一時的に下りに動的に調整されて高優先度のトラフィックを送信するため、または隣接セル間干渉協調のために、本来のデータパケットの処理は、
本来該スロットで伝送するデータパケットの伝送を直接廃棄することと、
ＵＥが送信指示をトリガするＤＣＩ情報をブラインド検出し続ける。送信をトリガする指示情報を再び検出すると、該ＵＥは、該準備されたデータパケットを指示された位置で再び送信することと、
または、１つのタイマーを設け、タイマーの時間内に新しいトリガ情報を受信した場合、指示情報に従って送信し、タイマーの時間内に新しいトリガ情報を受信しなかった場合、該データパケットを廃棄することと、
のうちの１つであってもよい。
【００５３】
前記他の時間周波数リソースは、物理リソースブロックＰＲＢの位置または新しいスロット位置を含み、あるいは１つのコードブックまたは直交コードリソースを更に含む。例えば、本来該位置にスケジューリングされたＵＥに１つの送信トリガシグナリンを送信し、新しいＰＲＢ位置または新しいスロット位置を含み、あるいは１つのコードブックまたは直交コードリソースを更に含む新しいスケジューリング位置を指示する。
【００５４】
ＵＥは、該データパケットを予約された一部の上りリソースで送信する。
【００５５】
スケジューリングおよびＨＡＲＱタイミングへの影響の処理は以下を含む。
【００５６】
スケジューリングを半静的配置するおよびタイミングをフィードバックする場合では、参照されたサブフレーム配置および配置されたタイミング値に基づき、データ伝送のサブフレームを決定し、または元の半静的配置タイミングを動的指示タイミングに切り替え、動的シグナリン指示タイミングに対してタイミング指示を再修正する。
【００５７】
他に、帯域幅の異なるサブバンドの上り・下り配置が異なり、隣接する２つのサブバンドの上り・下り配置が異なると、１つのガードバンドを設ける。
【００５８】
帯域幅の大きい異なるサブバンドの上り・下り配置が異なってもよく、隣接する２つのサブバンドの上り・下りが異なると、１つのガードバンドで隣接周波数干渉を回避する。且つ、基地局は、時間周波数二次元の方式でＵＥに異なるサブバンドの上り・下り配置を通知する。
【００５９】
ある信号／チャネル、例えば、ディスカバリ参照信号（ＤＲＳ）／ランダムアクセスチャネルのプリアンブル（ｐｒｅａｍｂｌｅ）が、１つの送信ウィンドウ内で送信され、高優先度のトラフィック送信のために、これらの信号の送信位置を動的に調整することができる。
【００６０】
本開示は、ＵＥに用いられるデータ伝送方法を更に提供し、図１−２に示すように、前記方法は以下のステップを含む。
【００６１】
ステップ２０１において、基地局から送信された調整後のフレーム構造を受信する。
【００６２】
ステップ２０２において、調整後のフレーム構造に従ってデータ伝送を行う。
【００６３】
基地局から送信された調整後の上り・下り配置情報またはフレーム構造を受信した後、前記方法は、
前記ＵＥが上り・下り配置情報またはフレーム構造に基づいて対応する時間単位の上り・下り配置情報が変更したと決定した場合、元のスケジューリングのデータパケットに対し、
ＵＥが所定時間内に、基地局の新しいスケジューリング情報をブラインド検出する処理と、
元のデータパケットを他の時間領域位置、または他の周波数領域位置、または他のキャリア、または他のコードブック、または他の直交コードリソースに再スケジューリングすることを指示する該スケジューリング情報を、固有のアイデンティティによってスクランブルする処理と、
所定時間内に該再スケジューリングされた制御情報が検出されなかった場合、該ＵＥは、該データの受送信を諦め、あるいは該ＵＥは予約された一部のリソースでデータパケットの受送信を行う処理と、
を行うことを更に含む。
【００６４】
上記形態に基づき、本開示は、以下の例を提供する。
【００６５】
例１、
本例では、基地局がどのように配下のＵＥにリンクの方向または上り・下り属性および空きリソースを通知するかについて詳細に説明する。
【００６６】
基地局は、ＳＩＢ、ＰＢＣＨ、ＲＲＣ、およびＤＣＩのような動的物理レイヤシグナリンのうちの少なくとも１つの情報によってＵＥに上り・下り配置を通知する。
【００６７】
例えば：ある時点の上り・下り属性は、以下の１つによって決定される。
【００６８】
方式１：システムは、ある固定の時間領域位置を指定し、例えば、ある固定したｓｌｏｔまたはＯＦＤＭシンボルを指定して上りＡＣＫ／ＮＡＣＫ、ＳＲ、ＳＲＳまたはプリアンブル初期アクセスまたは再送データパケットを送信するために使用する。
【００６９】
例えば、ｓｌｏｔ１はＳＲを送信するために用いられ、ｓｌｏｔ４の最後のＯＦＤＭシンボルはＳＲＳを送信するために用いられ、ｓｌｏｔ５はランダムアクセスプロセスのメッセージ１またはプリアンブル信号を送信するために用いられる。スロット８の最後のＯＦＤＭシンボルはＡＣＫ／ＮＡＣＫを送信するために用いられる。
【００７０】
それと同時に、あるｓｌｏｔまたはＯＦＤＭシンボルをある下りデータまたは情報の送信に固定的に使用する。
【００７１】
例えば、ｓｌｏｔ０の１つ目のＯＦＤＭシンボルを下り制御チャネルの送信に固定的に使用し、ｓｌｏｔ４は下り同期チャネルを送信するために用いられ、ｓｌｏｔ７はＤＲＳを送信するために用いられる。
【００７２】
その後、基地局は、固定リソース以外の残りのリソースが上りであるか、下りであるか、または空きリソースであるかを動的に指示することができる。
【００７３】
方式２：隣接する２つの基地局が交渉した後、ある時間領域位置を半静的配置して下りデータまたは上りデータを伝送するために使用する。
【００７４】
例えば、セル１およびセル２が隣接する２つのセルであり、この２つのセルが同じ基地局に属する場合、該基地局は、必要に応じて上位レイヤシグナリンにより、ある時間領域リソースを半静的配置して上りデータまたは下りデータを伝送するために使用する。
【００７５】
この２つの隣接セルが異なる基地局に属する場合、この２つの基地局は、エアインタフェースによって情報を交換し、その後、交渉された時間領域位置の上り・下り属性を上位レイヤシグナリンによってセル内のＵＥに通知することができる。
【００７６】
例えば、隣接する基地局が交渉してから決定された隣接する２つのセルのｓｌｏｔ１は、ＳＲを送信するために用いられ、ｓｌｏｔ４の最後のＯＦＤＭシンボルはＳＲＳを送信するために用いられ、ｓｌｏｔ５はランダムアクセスプロセスのメッセージ１またはプリアンブル信号を送信するために用いられる。スロット８の最後のＯＦＤＭシンボルはＡＣＫ／ＮＡＣＫを送信するために用いられる。ｓｌｏｔ０の１つ目のＯＦＤＭシンボルは下り制御チャネルの送信に用いられ、ｓｌｏｔ４は下り同期チャネルを送信するために用いられ、ｓｌｏｔ７はＤＲＳを送信するために用いられる。
【００７７】
その後、基地局は、上り・下りトラフィックの需要に応じて動的に調整したり、残りの時間領域リソースを配置したりする。
【００７８】
方式３：全てのリソースは基地局によって動的に指示される。
【００７９】
方式４：一部のリソースは上りデータまたは下りデータの伝送に固定的に使用され、一部のリソースは上りデータまたは下りデータの伝送または空きリソースに半静的配置され、一部のリソースは上りデータまたは下りデータ伝送または空きリソースを動的に指示する。
【００８０】
ここで、上記基地局によって動的に指示される方式は、更に以下を含む。
【００８１】
方式１：上りデータの上りグラント情報をスケジューリングすることにより、上りデータの時間領域位置を暗示的に決定し、下りデータの下りグラント情報をスケジューリングすることにより、下りデータの時間領域位置を暗示的に決定する。すなわち、上りデータ伝送の時間領域位置を上りデータとしてスケジューリングし、下りデータ伝送の位置を下りデータとしてスケジューリングする。
【００８２】
前記の上りグラント情報および下りグラント情報は、下り制御チャネルの固有サーチスペースによって担持される。下り制御チャネルは、半静的配置されたまたは固定されたあるｓｌｏｔの最初のいくつかのＯＦＤＭシンボルに位置する。
【００８３】
方式２：共通制御情報によってシグナリン通知を表示する。
【００８４】
例えば、下り制御チャネルの共通サーチスペースによって１つの下り制御情報を担持し、後続のｋ個のｓｌｏｔ、またはｍｉｎｉ−ｓｌｏｔの上り・下り属性を指示し、あるいはあるｓｌｏｔが空白であることを指示する。且つ、ｓｌｏｔ内の各ＯＦＤＭシンボルの属性を混合する。
【００８５】
例えば、Ｂｉｔｍａｐにより、後続のｋ個のｓｌｏｔまたはｍｉｎｉ−ｓｌｏｔが上り属性であるか下り属性であるかを指示する。０が上りを表し、１が下りを表す。または、反転したことは、ｓｌｏｔまたはｍｉｎｉ−ｓｌｏｔの上り・下り属性が変化したことを表し、反転していないことは、ｓｌｏｔまたはｍｉｎｉ−ｓｌｏｔの上り・下り属性が変化していないことを表し、あるスロットが０から１に変化すると、上り・下り属性が変更したことを表し、逆に、スロットの属性が変更していないことを表す。
【００８６】
方式３：固有制御情報により、どのスロット配置が変化したことを通知する。
【００８７】
例えば、ＤＣＩ内の３ビットまたは４ビットは、どのスロットまたはミニスロットの配置が変更したことを指示し、１ビットは上りと下りとの間の変化、または該リソースが空きリソースに変化したことを指示する。例えば、該１ビットが０である場合、該スロットまたはミニスロットが上り・下り属性を変更したことを指示し、１である場合、該スロットまたはミニスロットが空きリソースであることを指示する。
【００８８】
方式４：一部の上り・下りフレーム構造パターンおよび基地局が変更したスロット割当の粒度を予め定義するまたは上位レイヤシグナリンによって半静的配置し、その後、基地局はパターンのインデックスを動的に指示する。
【００８９】
例えば、スロットグループのサイズを４と半静的配置した後、動的ＤＣＩシグナリンが４スロットごとの上り・下り配置を通知する。通知は、上り・下り割り当てインデックスを通知する方式を採用してもよく、表１に示すように、各割り当てインデックスが１つの上り・下り割り当てに対応し、先に下りスロットで次に上りスロットの順番で１対１で対応して各スロットの配置を決定する。且つ、欠落したのは空きスロットであり、上り・下りスロットが共に存在すると、空きスロットは下りスロットと上りスロットとの間に位置する。
【００９０】
【表１】
0006987858.tif 000002
【００９１】
ＵＥは、上記の情報を受信することにより、各時点におけるデータの受信または送受信またはリソースの予約を決定する。
【００９２】
以上の方法により、ＵＥはデータ伝送の方向を正確に知ることができ、データを正しく受送信する。
【００９３】
例２、
本例では、フレーム構造における上り・下り配置が動的に変更した場合について詳細に説明する。
【００９４】
前記フレーム構造の上り・下り配置は、一部の空きリソースを予約または配置することを含む。
【００９５】
サブフレームまたはスロットまたはｍｉｎｉ−ｓｌｏｔまたは几个ＯＦＤＭの上り・下り属性の動的に変更のほか、基地局は、いくつかの空きリソースを動的に指示し、ＵＥがデータを送信する中に、これらのリソースでいずれかのデータを送信することができないことを指示する。
【００９６】
これらの空きリソースは、周波数領域で連続したｎ個のＰＲＢを含み、時間領域で１つまたは複数のｓｌｏｔ、またはスロット内のあるもしくはいくつかのＯＦＤＭシンボルを含み、例えば、基地局があるスロットの１つ目のＯＦＤＭシンボルの共通制御情報ＤＣＩにおいて、ｂｉｔｍａｐの方式で、該ｓｌｏｔ内に含まれる７個のＯＦＤＭシンボルにおける残りの６個のＯＦＤＭシンボルのうち、どれらのシンボルを予約すべきか、またはどのシンボルを予約すべきかを指示する。
【００９７】
予約されたまたは空きリソース位置は、
ＵＥは予約された位置でデータの受信を行わないこと、
サイトが干渉を感知して傍受すること、
動的調整を送受信すること、
従来のシステムと共存すること、
送信できなかったデータパケットを送信のためにいくつかのリソースを予約すること、
マルチキャストトラフィックを送信すること、
のうちの少なくとも１つに使用される。
【００９８】
該空白シンボルの位置は、上位レイヤシグナリンによって半静的配置され、周波数領域位置が帯域幅内の一部を占めてもよい。
【００９９】
該空白シンボルの位置は、上り・下りデータ伝送の間または２つのｍｉｎｉ−ｓｌｏｔの間に位置してもよい。
【０１００】
これらの空きリソースを配置することにより、システムの前方互換性の需要およびリソースの柔軟な調整を満たす。
【０１０１】
基地局が上り・下り配置を通知することは、１つのスロットグループのサイズを半静的配置した後、動的シグナリンで各スロットグループ内の上り・下り配置を指示することを更に含む。
【０１０２】
図２−１に示すように、基地局は、スロットグループのサイズを４つのスロットに初期配置する。その後、動的ＤＣＩで１つ目のスロットグループ内の上り・下りの割り当てが０：４であることを指示し、且つ先に下りスロットで次に上りスロットの順番で配列するように予め定義する。１つ目のスロットから４つ目のスロットまではいずれも下りであることを表す。また、例えば、ＤＣＩで２つ目のスロットグループ内の上り・下りの割り当てが２：１であることを指示すると、この４つのスロットのうちの１つ目が下りであり、２つ目が空白であり、３つ目および４つ目が上りである。その後、また、上位レイヤシグナリンでスロットグループのサイズを２つのスロットに半静的に変更する。且つ、動的シグナリンにより、１つ目のスロットグループの上り・下りの割り当てが１：１であることを指示すると、１つ目のスロットが下り、２つ目のスロットが上りであることを表す。その後、２つ目のスロットグループの上り・下りの割り当てが２：０であれば、１つ目のスロットが下り、２つ目のスロットも下りであることを表す。
【０１０３】
該指示方式により、シグナリンのオーバーヘッドを低減することができる。
【０１０４】
例３、
本例では、動的ＴＤＤの粒度、調整の状況および方法について説明する。
【０１０５】
基地局は、
高優先度のトラフィックが優先的に送信され、且つ、対応する上り・下りリンク属性を該データパケットに配置し、トラフィック優先度が同じで方向が異なる２つのデータパケットは、コンテンションによって最終リンクの方向を決定するデータトラフィックの優先度と、
異なるチャネルおよび信号を異なる優先度に分け、優先度の高いチャネルまたは信号が優先的に送信され、その後、基地局が対応する上り・下り属性を報知して通知し、低優先度のチャネルまたは信号を遅延して送信するように予め定義されるチャネルまたは信号の優先度と、
キャリアのコンテンション結果により、上り・下りデータ伝送を決定するキャリアセンスの結果と、
例えば、隣接セルがある時点に１つの高優先度の下りデータ伝送を送信し、該データにリンクに跨る干渉が発生することを回避するために、該セルも下りデータ伝送に配置する必要がある隣接セル間協調の結果と、
ＵＥ能力と、
のうちの少なくとも１つにより、ある時点の上り・下り属性を決定する。
【０１０６】
上り・下りを動的に変更するスロット割当の粒度は、１つのサブフレーム１ｍｓ、１つのｓｌｏｔの粒度、または１つのｍｉｎｉ−ｓｌｏｔの粒度、またはｎ個のＯＦＤＭシンボルの粒度を含み、ここで、ｎは半静的配置されたもの、または動的シグナリンによって指示されたものである。
【０１０７】
例えば、ｍｉｎｉ−ｓｌｏｔの長さが２つのＯＦＤＭシンボルに半静的配置されると仮定すれば、あるｓｌｏｔの構造は図２−２に示すとおりである。Ｓｌｏｔの長さが７つのＯＦＤＭシンボルであり、１つ目のＯＦＤＭシンボルが下り制御チャネルに固定的に使用され、且つ後続の３つのｍｉｍｉ−ｓｌｏｔの上り・下り属性を含む。例えば、ｂｉｔｍａｐの方式でユーザ機器に調整後のフレーム構造が０１１であることを指示すれば、１つ目のｍｉｎｉ−ｓｌｏｔが下りであり、残りの２つのｍｉｎｉ−ｓｌｏｔが上りであることを指示することを表す。
【０１０８】
あるシステム帯域幅内の異なるサブバンドＳｕｂｂａｎｄは、同じ時間帯内の上り・下り配置が異なってもよい。例えば、あるサブフレームのサブバンド１の上り・下り配置が配置パターン１であり、サブバンド２の上り・下り配置がパターン２であり、サブバンド３の上り・下り配置がパターン３である。それと同時に、サブバンドの間にガードバンドがある。
【０１０９】
上記方式により、システム帯域幅内の異なる周波数帯域の異なる時間の上り・下り配置を動的に調整することができる。
【０１１０】
例４、
本例では、上りデータの送信中に下りに調整される場合について説明する。
【０１１１】
基地局はスロット０でＵＥに、１つのマルチスロットが連続してスケジューリングするＤＣＩ情報を送信し、該情報はＵＥの固有サーチスペースによって担持され、例えば、図３に示すように、スロット４、５およびスロット６を連続してスケジューリングして上りデータパケットの送信を行う。その結果、スロット２の場合、基地局は突然、ＵＲＬＬＣパケットのような１つの下りの優先度の高いデータパケットを送信する必要があれば、基地局はスロット３のｃｏｍｍｏｎＤＣＩ内で１つのフレーム構造におけるスロットの上り・下り配置を変更するシグナリンを送信し、スロット５を下りに変更し、その後、基地局は下りスケジューリング情報を送信し、ＵＲＬＬＣデータパケットをスケジューリングしてスロット５において送信する。
【０１１２】
全てのＵＥが該共通指示情報を検出すると、スロット５にスケジューリングされたＵＥのデータパケットに対して以下の１つの処理を行う。
【０１１３】
方式１：該データパケットの該スロットでの伝送を諦め、直接廃棄する。
【０１１４】
方式２：該スロットが比較的低い電力で該データパケットを送信する。
【０１１５】
方式３：ＵＥは送信指示をトリガするＤＣＩ情報をブラインド検出し続け、ここで、送信をトリガする指示情報を再び検出すると、該ＵＥは、該準備されたデータパケットを指示された位置で再び送信する。
【０１１６】
例えば、基地局は本来該位置にスケジューリングされたＵＥに１つのスケジューリング更新シグナリンを送信し、該スケジューリング更新シグナリンは、新しいＰＲＢ位置または新しいスロット位置を含み、あるいは１つのコードブックまたは直交コードリソースを更に含む新しいスケジューリング位置を指示する。例えば、本来ｓｌｏｔ５にスケジューリングされたデータパケットをｓｌｏｔ６にスケジューリングして送信するとともに、１つの直交コードを配置する可能性がある。
【０１１７】
方式４：ＵＥは、該データパケットを予約された一部の上りリソースで送信する。
【０１１８】
ここで、該予約リソースは、固定されたリソースまたは半静的配置されたリソースである。例えば、ｓｌｏｔ７は、予約されたスロットリソースの、本来スケジューリングされたデータパケットが送信できなかった場合に用いられる新しい送信位置である。
【０１１９】
その後、基地局は、指示された新しい位置または予約されたリソース位置に基づき、データパケットの受信を行う。
【０１２０】
上記方法により、上り・下り配置を動的に調整する場合にデータの送受信の問題を解決する。
【０１２１】
例５、
本例では、下りデータの送信中に上りに調整される場合について説明する。
【０１２２】
基地局は、スロット０の１つ目のＯＦＤＭシンボルでＵＥに、１つのマルチスロットが連続してスケジューリングするＤＣＩ情報を送信し、該情報はＵＥの固有サーチスペースによって担持され、例えば、図３に示すように、スロット０、１、２およびスロット３を連続してスケジューリングして下りデータパケットの送信を行う。その結果、スロット１の場合、基地局は突然、１つのＵＥから送信された上りのスケジューリング要求を受信し、直ちに１つの上りリソースを該ＵＥに割り当て、１つの高優先度のトラフィックデータパケットを送信するように基地局に要求し、例えば、ＵＲＬＬＣパケットを送信する必要があれば、基地局はスロット２の共通下り制御情報内で１つの上り・下りを変更するシグナリンを送信し、スロット２を上りに変更する。ＵＥが該共通情報を受信すると、高優先度のトラフィックを有するＵＥは、該スロットのあるリソースで感知することができ、該リソースが使用されないと、グラントフリーのｇｒａｎｔ−ｆｒｅｅの方式で上りデータの送信を行うことができる。または基地局は同時にスロット２の制御チャネルの固有サーチスペースで、スケジューリング要求を送信するＵＥに１つのグラント情報を送信し、スロット２のあるＯＦＤＭシンボルのあるＰＲＢリソースおよびＭＣＳ等のスケジューリング情報を指示し、本来該位置にスケジューリングされた下りデータパケットに対し、基地局は、以下の１つの処理を行ってもよい。
【０１２３】
該データパケットの伝送を諦めるとともに、ＵＥは該スケジューリングされた下りデータパケットを再び受信せず、ＡＣＫ／ＮＡＣＫもフィードバックしない。
【０１２４】
元の送信電力よりも低い電力で依然としてこのデータパケットを送信する。
【０１２５】
該データパケットを他の時間領域位置、または他の周波数領域位置、または他のキャリアに再スケジューリングする。
【０１２６】
１つの時間タイマーを設け、該時間タイマー内に依然として再スケジューリングするという指示情報を受信しないと、該データパケットを廃棄する。
【０１２７】
例えば、基地局は、本来該位置にスケジューリングされた下りデータパケットに対応するＵＥに、１つのＤＣＩを再送信し、本来のデータパケットに通知してスロット４で再送信し、例えば、元の位置のｋ個のｓｌｏｔオフセット量であってもよく、ここで、ｋ＝２である。
【０１２８】
再指示された位置が元のＡＣＫ／ＮＡＣＫフィードバック位置の後ろにある場合、該ＤＣＩ情報は、該データパケットに対応するＡＣＫ／ＮＡＣＫがフィードバックする新しいリソース位置情報を含む可能性がある。
【０１２９】
例えば、本来指示されたスロット２の下りデータパケットに対応するＡＣＫ／ＮＡＣＫフィードバックの伝送位置がスロット３の最後のＯＦＤＭシンボルにあれば、基地局のスロット２のデータパケットが送信されないため、スロット３でＵＥはＮＡＣＫをフィードバックし、または何もフィードバックしない。
【０１３０】
基地局は、該データパケットに対応するＡＣＫ／ＮＡＣＫフィードバックの位置がスロット５であることを再指示すれば、ＵＥは、スロット４で該データパケットを受信した後、新しい指示情報に応じてスロット５で対応するＡＣＫ／ＮＡＣＫをフィードバックする。
【０１３１】
または、基地局は、新しいデータパケット位置および対応するＡＣＫ／ＮＡＣＫの位置をジョイント符号化の方式で指示する。
【０１３２】
基地局は、該データパケットを予約された一部の下りリソースで送信する。
【０１３３】
ここで、該予約リソースは固定されたあるリソースまたは半静的配置されたあるリソースである。例えば、ｓｌｏｔ７は、元のデータパケットが送信できなかった場合に新しい送信位置をスケジューリングするための予約されたスロットリソースである。
【０１３４】
上記方法により、上り・下り配置を動的に調整する場合にデータの送受信およびフィードバックの問題を解決する。
【０１３５】
例６、
本例では、基地局が下り同期信号および測定信号を送信する中に、データスケジューリングの調整プロセスについて説明する。
【０１３６】
例えば、システムは、下り同期信号およびチャネル測定信号が一部の予め定義された時間ウインドウ内で送信することができると定義する。送信する時間ウインドウが２ｍｓで４つのｓｌｏｔを含むと仮定し、すなわち、これらの信号が１つの送信周期内に４つの可能な送信位置を有することができ、または、４つのｓｌｏｔ内のいずれかで送信することができる。基地局は、トラフィック優先度の需要に応じてこれらの信号の送信位置を動的に調整することができる。図４に示すとおりである。基地局は、本来ｓｌｏｔ５で下り同期信号およびチャネル測定信号、例えば、ＤＲＳを送信し、突然、上りのＵＲＬＬＣデータパケットを送信する必要がある場合、基地局は、１つの共通のＤＣＩ情報を送信し、ｓｌｏｔ５の全てのＯＦＤＭシンボルまたは一部のシンボルを上りＵＲＬＬＣトラフィックに用いることを通知するとともに、ＤＲＳ信号を次のｓｌｏｔに遅延して送信する。
【０１３７】
例えば、ランダムアクセスのメッセージ１の送信位置も予め定義された一部の時間ウインドウであり、すなわち、システムは、あるリソースを予約して上りプリアンブル初期アクセスの送信に用いると予め定義する。基地局には下りの高優先度のトラフィックの送信があれば、１つの共通のＤＣＩ情報を送信し、下り高優先度データの送信に用いるようにある予約されたリソースに通知してもよく、その後、ＵＥは時間ウインドウ内の他の予約リソースでアクセスし、アクセスする前にまずチャネル感知測定を行うことができる。
【０１３８】
例７、
本例では、データパケットＡＣＫ／ＮＡＣＫの場合について説明する。
【０１３９】
上り・下りデータパケットの送信が動的に変更すると、対応するＡＣＫ／ＮＡＣＫｐｌａｙｌｏａｄサイズも動的に変化する可能性があるとともに、ＡＣＫ／ＮＡＣＫがフィードバックするリソースおよび位置にも影響を与える。
【０１４０】
例えば、本来ある時点でｍビットのＡＣＫ／ＮＡＣＫをフィードバックする必要があり、その間に新たに増加した下りデータパケットに対応するＡＣＫ／ＮＡＣＫも該時点でフィードバックする必要があるため、ＡＣＫ／ＮＡＣＫのビット数が増加する。または基地局は、新たに増加した下りデータパケットにＡＣＫ／ＮＡＣＫをフィードバックする他の時点を割り当てる。
【０１４１】
下りデータに対応するＡＣＫ／ＮＡＣＫがリソースをフィードバックする決定方式は、以下の少なくとも１つを含む。
【０１４２】
あるｓｌｏｔの最後のＯＦＤＭシンボルまたは１つ目のＯＦＤＭシンボルを半静的配置して上りＡＣＫ／ＮＡＣＫのリソースに用いる。
【０１４３】
例えば、あるｓｌｏｔ内に１４つのＯＦＤＭシンボルが含まれ、基地局は本来、ｋ（ｋは１または２または４であってもよい）個のＯＦＤＭシンボルをスケジューリングユニットとしてｍ個のデータパケットを連続してスケジューリングし、且つ、該ｍ個のデータパケットはいずれも該ｓｌｏｔでＡＣＫ／ＮＡＣＫのフィードバックを行う必要がある。
【０１４４】
ＡＣＫ／ＮＡＣＫを担持する上り制御チャネルの長さが１つのｓｌｏｔである場合、リソースは、以下の１つによって決定される。
【０１４５】
方式１：スケジューリングされた下りデータパケットに対応するＤＣＩの位置により、これまたはこれらのデータパケットに対応するＡＣＫ／ＮＡＣＫの位置を暗示的に決定する。
【０１４６】
方式２：基地局により、１つのリソースのセットを半静的に上位レイヤシグナリンによって配置し、その後、動的シグナリンが時間周波数リソースを指示する。
【０１４７】
また、ＡＣＫ／ＮＡＣＫのペイロードｐａｙｌｏａｄサイズが動的に変化する場合、以下のようなリソース決定方法を採用することができる。上位レイヤに２つのリソース位置を配置して１つの閾値を予め定義し、ＡＣＫ／ＮＡＣＫのｐａｙｌｏａｄサイズが閾値を超える場合、リソース位置１または長い上り制御チャネルＰＵＣＣＨで送信し、閾値よりも小さい場合、リソース位置２または短い上り制御チャネルＰＵＣＣＨで送信する。
【０１４８】
例８、
本例では、ＵＲＬＬＣトラフィックおよび拡張モバイルブロードバンドｅＭＢＢトラフィックの多重伝送の場合について説明する。
【０１４９】
基地局がスロット１の１つ目のＯＦＤＭシンボルでＵＥ１に下り制御情報を送信して１つの下りのｅＭＢＢトラフィックをスケジューリングし、スロット１、２、３およびスロット４でデータを連続して伝送する。その後、スロット２の場合、ＵＥ２は突然、ある上りのＵＲＬＬＣトラフィックをスケジューリングする必要があれば、基地局はスロット３でＵＥ２にＤＣＩ情報を送信して上りＵＲＬＬＣデータパケットの送信をスケジューリングするとともに、基地局は、本来スロット３において送信しようとするｅＭＢＢデータパケットを全て削除し、且つ、スロット４の最後のＯＦＤＭシンボル内で１つの制御情報をＵＥ１に送信し、スロット３におけるｅＭＢＢデータパケットが破損されたことを通知する。その後、ＵＥ１が該情報を受信すると、破損したデータを干渉除去して受信する。
【０１５０】
表示されたシグナリン指示により、ｅＭＢＢデータパケット全体の再送を回避し、スペクトル効率を向上させる。
【０１５１】
例９、
本例では、上り・下りを動的に変更することがスケジューリングおよびＨＡＲＱタイミングに影響を与えた後の解決方法について説明する。
【０１５２】
基地局がスロットｎで１つの下り制御情報を送信し、スロットｎ＋１からスロットｎ＋４までの４つの下りスロットをスケジューリングして下りデータの送信を行うとともに、動的シグナリンは、対応する各スロットによって担持されたデータパケットのＡＣＫ／ＮＡＣＫがスロットｎ＋５でフィードバック伝送を行うことを指示すると仮定する。隣接セルまたは該セルがスロットｎ＋４に送信する必要のある優先度の高い上りデータがあるため、該優先度の高いデータパケットの性能を確保するように、基地局は１つの共通ＤＣＩ情報を一時的に送信し、ｎ＋４が上りサブフレームであることを通知する。基地局が管理するＵＥは、該情報を受信すると、スロットｎ＋４で下りデータを再受信せず、本来該位置にスケジューリングされた下りデータパケットもＡＣＫ／ＮＡＣＫをフィードバックせず、それと同時に、該回のスケジューリングのデータ伝送が最大再送回数内に計算されない。タイマー内に新しいＤＣＩ情報を受信した場合、新しい指示位置に従ってデータパケットの受信を行うとともに、指示情報に従って対応する位置でＡＣＫ／ＮＡＣＫをフィードバックする。
【０１５３】
例１０、
本例では、ＵＲＬＬＣスケジューリングおよびデータ伝送のプロセスについて説明する。
【０１５４】
ＵＲＬＬＣトラフィックに対し、スケジューリングベースの方式でアクセスしてもよく、スケジューリングフリーの方式でアクセスしてもよい。初期伝送が受信エラーを生じた場合、再送データパケットに対し、遅延を低減するために、ＵＥは依然としてスケジューリングフリーの方式でアクセスし、またはＵＥはスケジューリングベースの方式でアクセスし、且つ指示された伝送タイミングはシンボルレベルである。例えば、ＵＲＬＬＣは１つのＯＦＤＭシンボルを単位としてスケジューリングし、隣接する２回のスケジューリングの間隔が非常に小さく、１つまたは２つのＯＦＤＭシンボルの間隔をあける。スケジューリングのアクセスプロセスは以下のとおりであってもよい。基地局がスロット０の３つ目のシンボルで下りＤＣＩを送信し、シンボル６で元のスケジューリングフリーでアクセスされた再送データパケットの送信を行うことをＵＥに通知する。前記のリソースは、基地局が共通のＤＣＩによって通知される。全てのＵＥが該ＤＣＩを受信すると、該リソースで上りデータを再び送信することがなく、該リソースは、再送のデータパケットをスケジューリングする固有のリソースであり、他のＵＥに占用されることはない。
【０１５５】
また、スケジューリングフリーのＵＥに対し、初期伝送がエラーを生じ、またはＵＥが所定時間内に基地局のＡＣＫを受信しなかった場合、ＵＥは、予め定義されたホッピングパターンに従って再送することができる。前記ホッピングパターンは、時間領域でｋ個のＯＦＤＭシンボルの間隔をあけ、ここで、ｋが予め定義された閾値よりも小さい。周波数領域の位置はランダムな位置に従って行う。
【０１５６】
または、ＵＥは、自動伝送ごとに異なる直交コードを採用する。
【０１５７】
または、基地局は、再スケジューリング時に、１つの自動的に再送するホッピングパターンを割り当てる。
【０１５８】
上記方法により、低遅延トラフィックの要求を満たす。
【０１５９】
例１１、
本例では、本開示に係る方法を基地局側の処理プロセスに用いることについて説明する。
【０１６０】
図４に示すように、まず、基地局は、隣接サイトと交渉することで、自分の上り・下りトラフィックの需要により、あるセルの上り・下り割り当てを決定する。
【０１６１】
セル１がある時点に１つの高優先度のデータパケットを送信しようとすると、この２つのセルのこの時のリンクの上り・下り属性は、該データパケットで決定され、上りデータパケットであれば、該時点の隣接する２つのセルはいずれも上りデータ伝送であり、下りのデータパケットであれば、該時点の２つのセルはいずれも下りデータ伝送に配置される。
【０１６２】
図５を参照しながら、本例に対応する基地局側の処理フローについて説明する。２つの上り・下りデータパケットの優先度が同じである場合、コンテンションによって該時点の上り・下り属性を決定する。
【０１６３】
その後、基地局は決定された上り・下り割り当てを配下のＵＥに通知する。
【０１６４】
通知方法は、上位レイヤシグナリン、または動的物理レイヤ制御シグナリン、または上位レイヤシグナリン、および動的物理レイヤ制御シグナリンを含む。
【０１６５】
その後、上り・下りの位置に応じ、下りデータを送信して上りデータを受信する。
【０１６６】
その間に、基地局は、トラフィックの需要または測定された干渉状況に基づき、ある時点の上り・下り属性または空きリソースを一時的に動的に調整する。
【０１６７】
例１２、
本例では、本開示に係る方法を端末側の処理プロセスに用いることについて説明する。
【０１６８】
図６に示すように、まず、端末が基地局から送信された関連する上り・下り配置の情報を受信する。
【０１６９】
その後、端末は配置情報に基づいてデータの受送信を行う。
【０１７０】
本開示に係る基地局は、基地局（ＮｏｄｅＢ）、進化型基地局（ｅＮｏｄｅＢ）、ホーム基地局（ＨｏｍｅＮｏｄｅＢ）、中継局（ＲｅｌａｙＮｏｄｅ、ＲＮ）、マクロ基地局、マイクロ基地局等を含む。
【０１７１】
上記説明の基に、本開示は基地局を更に提供し、図７−１に示すように、前記基地局は、
所定期間内の各時間単位のフレーム構造を調整して決定するように構成される制御ユニット７１と、
前記調整後のフレーム構造をユーザ機器ＵＥに通知し、調整後のフレーム構造に基づいてデータの伝送を行うように構成される通信ユニット７２と、
を備える。
【０１７２】
前記時間単位は、１つのサブフレーム、１つのスロット、１つのミニスロットｍｉｎｉ−ｓｌｏｔ、ｍ個のＯＦＤＭシンボルの1つを含み、ここで、ｍが１以上の整数である。
【０１７３】
制御ユニットは、前記上り・下り配置情報またはフレーム構造をＵＥに通知するよう構成され、
物理レイヤシグナリンによって指示することと、
上位レイヤシグナリンによって配置することと、
マルチキャストシグナリンまたはシステムメッセージによって通知することと、
のうちの少なくとも１つを含む。
【０１７４】
制御ユニットは、
データトラフィックの優先度と、
チャネルまたは信号またはリンクの優先度と、
キャリアセンスの結果と、
隣接セル間協調と、
ＵＥ能力と、
のうちの少なくとも１つによって前記上り・下り配置を調整して決定するように構成される。
【０１７５】
前記調整後のフレーム構造は、
上りＡＣＫ／ＮＡＣＫ、ＳＲ、ＳＲＳ、プリアンブル初期アクセス、上り再送データパケットのうちの少なくとも１つを含む上りプリセット情報の上り伝送に用いられる配置された第１個数のｓｌｏｔまたはＯＦＤＭシンボルと、
下り制御チャネル、同期チャネル、またはＤＲＳ信号のうちの少なくとも１つを含む下りプリセット情報の下り伝送に用いられる配置された第２個数のｓｌｏｔまたはＯＦＤＭシンボルと、
予約リソースとして、または少なくともデータ情報を伝送するためのリソースとして配置されないことを表す空きリソースとして使用される配置された第３個数のｓｌｏｔまたはｍｉｎｉ−ｓｌｏｔまたはＯＦＤＭシンボルと、を含む。
【０１７６】
制御ユニットは、
割り当てセット、またはパターン、または割り当てセットおよびパターンを配置し、動的シグナリンによって割り当てセット、またはパターン、または割り当てセットおよびパターンのインデックスを指示することと、
１つのサブフレームグループ／スロットグループのサイズを配置し、各サブフレームグループ／スロットグループ内の各サブフレーム／スロットの上り・下り配置を動的に指示することと、
のうちの少なくとも１つを実行するように構成される。
【０１７７】
前記物理レイヤシグナリンによって指示することは、
上りデータの上りグラント情報をスケジューリングすることにより、上りの時間領域位置を決定し、下りデータの下りグラント情報をスケジューリングすることにより、下りの時間領域位置を決定することと、
下り制御チャネルの共通サーチスペースによって１つの下り制御情報を担持し、後続のｋ個のｓｌｏｔ、またはｍ個のミニスロットの上り・下り配置情報、あるいは空きリソースを指示することと、を含む。
【０１７８】
前記制御ユニットは、下りデータ伝送用のスロットｎまたはスロットｎ内のｍｉｎｉ−ｓｌｏｔを上りに調整し、
上りデータ伝送用のスロットｍまたはスロットｍ内のｍｉｎｉ−ｓｌｏｔを下りに調整するように構成される。
【０１７９】
前記制御ユニットは、
本来スロットｎまたはスロットｎ内のｍｉｎｉ−ｓｌｏｔにおいて送信されるデータを廃棄するとともに、端末に該データパケットが破壊されたことを指示し、且つ、該回のスケジューリングを再送回数内に計算しない、または、本来スロットｍまたはスロットｍ内のｍｉｎｉ−ｓｌｏｔにおいて送信されるデータを廃棄するとともに、端末に該データパケットが破壊されたことを指示し、且つ、該回のスケジューリングを再送回数内に計算しない処理と、
低減された電力または低減されたＭＣＳで、本来スロットｎまたはスロットｎ内のｍｉｎｉ−ｓｌｏｔにおいて送信しようとするデータパケット、およびスロットｍまたはスロットｍ内のｍｉｎｉ−ｓｌｏｔにおいて送信しようとするデータパケットを送信する処理と、
本来スロットｎまたはスロットｎ内のｍｉｎｉ−ｓｌｏｔにおいて送信しようとするデータパケット、およびスロットｍまたはスロットｍ内のｍｉｎｉ−ｓｌｏｔにおいて送信しようとするデータパケットを、他の時間周波数リソース箇所に再スケジューリングする処理と、
本来スロットｎまたはスロットｎ内のｍｉｎｉ−ｓｌｏｔにおいて送信しようとするデータパケット、およびスロットｍまたはスロットｍ内のｍｉｎｉ−ｓｌｏｔにおいて送信しようとするデータパケットを、予約されたリソースで送信する処理と、
のうちの1つを実行するように構成される。
【０１８０】
前記他の時間周波数リソースは、ＰＲＢ位置または新しいスロット位置を含み、あるいは１つのコードブックまたは直交コードリソースを更に含む。
【０１８１】
前記上り・下り配置は、
帯域幅が異なるサブバンドの上り・下り配置は異なり、且つ、隣接する２つのサブバンドの上り・下り配置が異なる場合、１つのガードバンドを設けることを更に含む。
【０１８２】
前記制御ユニットは、更に、
プリセットされたタイプの信号／チャネルを指定されたウインドウに設けて送信し、
優先度が前記プリセットされたタイプよりも高い信号／チャネルを送信する場合、優先度が前記プリセットされたタイプよりも高い前記信号／チャネルを前記指定されたウインドウに設けて送信するように構成される。
【０１８３】
また、ＵＥを更に提供し、図７−２に示すように、前記ＵＥは、
基地局から送信された調整後の上り・下り配置情報またはフレーム構造を受信するように構成される受信ユニット８１と、
調整後の上り・下り配置情報またはフレーム構造に従ってデータ伝送を行うように構成される送信ユニット８２と、を備える。
【０１８４】
前記ＵＥは、
上り・下り配置情報またはフレーム構造に基づいて対応する時間単位の上り・下り配置情報が変更したと決定した場合、元のスケジューリングのデータパケットに対し、
所定時間内に、基地局の新しいスケジューリング情報をブラインド検出する処理と、
本来のデータパケットを他の時間領域位置、または他の周波数領域位置、または他のキャリアに再スケジューリングすることを指示する該スケジューリング情報を、固有のアイデンティティによってスクランブルする処理と、
所定時間内に該再スケジューリングの制御情報が検出されなかった場合、該ＵＥは、該データの受送信を諦め、あるいは該ＵＥは予約された一部のリソースでデータパケットの受送信を行う処理と、
のうちの１つを行うように構成される調整ユニット８３を更に備える。
【０１８５】
本開示は指示システムを更に提供し、図７−３に示すように、前記システムは、
所定期間内の各時間単位のフレーム構造を調整して決定し、前記調整後のフレーム構造をユーザ機器ＵＥに通知し、調整後のフレーム構造に基づいてデータの伝送を行うように構成される基地局９１と、
基地局から送信された調整後の上り・下り配置情報またはフレーム構造を受信し、調整後の上り・下り配置情報またはフレーム構造に従ってデータ伝送を行うように構成されるＵＥ９２と、を備える。
【０１８６】
本開示に係る基地局は、記憶媒体およびプロセッサを備え、
該記憶媒体が１セットの命令を含み、前記命令が実行されると、少なくとも１つのプロセッサが、
所定期間内の各時間単位のフレーム構造を調整して決定することと、
前記調整後のフレーム構造をユーザ機器ＵＥに通知することと、
調整後のフレーム構造に基づいてデータの伝送を行うことと、を含む動作を実行する。
【０１８７】
本開示に係るＵＥは、記憶媒体およびプロセッサを備え、該記憶媒体が１セットの命令を含み、前記命令が実行されると、少なくとも１つのプロセッサが、基地局から送信された調整後のフレーム構造を受信することと、調整後のフレーム構造に従ってデータ伝送を行うこととを含む動作を実行する。
【０１８８】
本開示の実施例は、プロセッサに実行されると、上記いずれかの方法を実現するコンピュータ実行可能命令が記憶されるコンピュータ可読記憶媒体を更に提供する。
【０１８９】
当業者であれば、上記で開示した方法における全てまたは一部のステップ、システム、装置内の機能モジュール／ユニットは、ソフトウェア、ファームウェア、ハードウェアおよびその適当な組み合わせとして実施することができることは理解できる。ハードウェアの実施形態において、上記で言及された機能モジュール／ユニットの間の区分は、物理コンポーネントの区分に対応するとは限らない。例えば、１つの物理コンポーネントは、複数の機能を有してもよく、または１つの機能またはステップは、複数の物理コンポーネントによって協働して実行されてもよい。一部のコンポーネントまたは全てのコンポーネントは、デジタル信号プロセッサまたはマイクロプロセッサのようなプロセッサによって実行されるソフトウェアと実施され、またはハードウェアと実施され、または特定用途向け集積回路のような集積回路と実施されてもよい。このようなソフトウェアは、コンピュータ記憶媒体（または非一時的媒体）および通信媒体（または一時的媒体）を含むことができるコンピュータ可読媒体に分布されてもよい。当業者に知られているように、コンピュータ記憶媒体という用語は、情報（例えば、コンピュータ可読命令、データ構造、プログラムモジュールまたは他のデータ）を記憶するための任意の方法または技術に実施する揮発性および不揮発性、取り外し不可能および不取り外し不可能な媒体を含む。コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶、磁気カセット、磁気テープ、磁気ディスク記憶または他の磁気記憶装置、または所望の情報を記憶するために使用できるとともに、コンピュータがアクセスできる任意の他の媒体を含んでもよいが、それらに限定されない。また、通信媒体は、通常、コンピュータ可読命令、データ構造、プログラムモジュール、またはキャリア若しくは他の伝送機構のような変調データ信号内の他のデータを含み、且つ、任意の情報配信媒体を含むことができることは当業者に知られている。
【０１９０】
上記は本開示の例示的な実施例に過ぎず、本開示の保護範囲を限定するものではない。
【産業上の利用可能性】
【０１９１】
本開示の実施例は、データ伝送方法、基地局、ユーザ機器およびシステムを提供し、基地局側は、所定期間内の時間単位のフレーム構造を柔軟に調整することができ、且つ調整後のフレーム構造をＵＥに送信することにより、調整後のフレーム構造に基づいて基地局とＵＥとの間のデータ伝送を行うことができる。そのため、トラフィックの需要に応じて動的な上り・下りデータ送信の問題を解決する。そのため、本開示は産業上の利用可能性を有する。
【図１−１】
0006987858.tif 000003
【図１−２】
0006987858.tif 000004
【図２−１】
0006987858.tif 000005
【図２−２】
0006987858.tif 000006
【図３】
0006987858.tif 000007
【図４】
0006987858.tif 000008
【図５】
0006987858.tif 000009
【図６】
0006987858.tif 000010
【図７−１】
0006987858.tif 000011
【図７−２】
0006987858.tif 000012
【図７−３】
0006987858.tif 000013